(57)【要約】【解決手段】本開示は、ＬＣＤ表示モジュール及びモバイル端末に関するものであり、当該ＬＣＤ表示モジュールは、表示画面と、前記表示画面の頂端から引き出されるフレキシブル回路基板と、を含み、前記表示画面の頂端には、モバイル端末の機能モジュールが収容される陥凹部が設けられ、前記フレキシブル回路基板における前記陥凹部に対応する位置に開口が設けられる。本開示は、ＬＣＤ表示モジュール及びそれを有するモバイル端末を設計し、ＬＣＤ表示モジュールにおける回路を変更することにより、フレキシブル回路基板をＬＣＤ表示モジュールの頂端に電気的に接続され、当該ＬＣＤ表示モジュールの頂端には、陥凹部が設けられ、またフレキシブル回路基板には、開口が対応付けて設けられ、モバイル端末の機能モジュールを収容し、表示画面の画面占有率を増加することを満たすことができる。
2021509961.tif 000002
【特許請求の範囲】
【請求項１】
表示画面と、
前記表示画面の頂端から引き出されるフレキシブル回路基板と、
を含み、
前記表示画面の頂端には、モバイル端末の機能モジュールが収容される陥凹部が設けられ、
前記フレキシブル回路基板における前記陥凹部に対応する位置に開口が設けられる、
ことを特徴とするＬＣＤ表示モジュール。
【請求項２】
前記フレキシブル回路基板が折り曲げられて前記モバイル端末の制御主基板に電気的に接続される場合、前記開口のエッジが前記陥凹部のエッジを超えない、
ことを特徴とする請求項１に記載のＬＣＤ表示モジュール。
【請求項３】
前記フレキシブル回路基板が折り曲げられて前記モバイル端末の制御主基板に電気的に接続される場合、前記開口のエッジが前記陥凹部のエッジと重なる、
ことを特徴とする請求項２に記載のＬＣＤ表示モジュール。
【請求項４】
前記陥凹部は、前記表示画面の中間位置に位置する、
ことを特徴とする請求項１に記載のＬＣＤ表示モジュール。
【請求項５】
前記陥凹部は、前記表示画面の左側又は右側に位置する、
ことを特徴とする請求項１に記載のＬＣＤ表示モジュール。
【請求項６】
前記表示画面は、バックライトモジュールを含み、
前記バックライトモジュールの頂端には、陥凹構造が設けられ、前記陥凹構造は、前記陥凹部の一部を構成する、
ことを特徴とする請求項１に記載のＬＣＤ表示モジュール。
【請求項７】
前記バックライトモジュールは、ＬＥＤライトバーアレイを含み、
前記ＬＥＤライトバーアレイは、前記バックライトモジュールの頂端のエッジに位置し、かつ前記陥凹部のエッジを通過する、
ことを特徴とする請求項６に記載のＬＣＤ表示モジュール。
【請求項８】
前記バックライトモジュールは、前記ＬＥＤライトバーアレイに適合する導光板をさらに含み、
前記導光板は、前記ＬＥＤライトバーアレイによって放射された光を前記表示画面の頂端から前記表示画面の底端に導く、
ことを特徴とする請求項７に記載のＬＣＤ表示モジュール。
【請求項９】
前記陥凹部は、円弧状、逆台形状、U字状、またはW字状である、
ことを特徴とする請求項１〜８のいずれかに記載のＬＣＤ表示モジュール。
【請求項１０】
端末本体と、
前記端末本体に設けられる機能モジュールと、
請求項１〜９のいずれかに記載のＬＣＤ表示モジュールと、
を含み、
前記ＬＣＤ表示モジュールは、前記端末本体に配設され、
前記機能モジュールは、前記ＬＣＤ表示モジュールの陥凹部内に配設され、
前記ＬＣＤの表示モジュールのフレキシブル回路基板が折り曲げられて前記端末本体の制御主基板に電気的に接続される、
ことを特徴とするモバイル端末。
【請求項１１】
前記機能モジュールは、カメラと、センサと、感光素子と、イヤピースとのうち一つ又は複数を含む、
ことを特徴とする請求項１０に記載のモバイル端末。
【発明の詳細な説明】
【技術分野】
【０００１】
本開示は、表示画面技術分野に関し、特にＬＣＤ表示モジュール及びモバイル端末に関するものである。
【背景技術】
【０００２】
モバイル端末（スマートフォン）の迅速な発展に伴って、消費者のスマートフォンへの依存性が益々大きくなっており、スマートフォンは、既に人々の生活に必要不可欠な一部となった。現在、消費者の視覚的な楽しみを向上するために、画面占有率の高い携帯電話が益々消費者にとって、人気になっている。
【０００３】
画面占有率とは、画面と携帯電話のフロントパネルとの面積の相対比であり、これは、携帯電話の見かけのデザイン上、視覚的好感を比較的に取得しやすいパラメータである。従来の携帯電話の状況は、画面占有率が比較的小さく、特に上下フレームは、イヤピース、カメラ、ホームボタンなどが比較的多きい画面占有率を示しているため、外形を前提として、画面占有率の利用率が比較的低い。如何に従来の携帯電話の外形の全体サイズが一定の前提で、画面占有率を大きくし、上下の携帯電話のフレームを減少して、消費者により好ましい視覚体験を提供することは、既に現在の重要な研究方向の一つとなった。
【発明の概要】
【発明が解決しようとする課題】
【０００４】
これに鑑みて、本開示は、画面占有率が高いＬＣＤ表示モジュール及びそれを有するモバイル端末を提供して、上記技術課題を解決する。
【課題を解決するための手段】
【０００５】
上記目的を達成するために、本開示は、以下の技術案を採用する。
【０００６】
本開示の実施例の第１側面は、ＬＣＤ表示モジュールを提供し、表示画面と、前記表示画面の頂端から引き出されるフレキシブル回路基板と、を含み、前記表示画面の頂端には、モバイル端末の機能モジュールが収容される陥凹部が設けられ、前記フレキシブル回路基板における前記陥凹部に対応する位置に開口が設けられる。
【０００７】
好ましくは、前記フレキシブル回路基板が折り曲げられて前記モバイル端末の制御主基板に電気的に接続される場合、前記開口のエッジが前記陥凹部のエッジを超えない。
【０００８】
好ましくは、前記フレキシブル回路基板が折り曲げられて前記モバイル端末の制御主基板に電気的に接続される場合、前記開口のエッジが前記陥凹部のエッジと重なる。
【０００９】
好ましくは、前記陥凹部は、前記表示画面の中間位置に位置する。
【００１０】
好ましくは、前記陥凹部は、前記表示画面の左側又は右側に位置する。
【００１１】
好ましくは、前記表示画面は、バックライトモジュールを含み、前記バックライトモジュールの頂端には、陥凹構造が設けられ、前記陥凹構造は、前記陥凹部の一部を構成する。
【００１２】
好ましくは、前記バックライトモジュールは、ＬＥＤライトバーアレイを含み、前記ＬＥＤライトバーアレイは、前記バックライトモジュールの頂端エッジに位置し、かつ前記陥凹部のエッジを通過する。
【００１３】
好ましくは、前記バックライトモジュールは、前記ＬＥＤライトバーアレイに適合する導光板をさらに含み、前記導光板は、前記ＬＥＤライトバーアレイによって放射された光を前記表示画面の頂端から前記表示画面の底端に導く。
【００１４】
好ましくは、前記陥凹部は、円弧状、逆台形状、U字状、またはW字状である。
【００１５】
本開示の実施例の別の側面によれば、端末本体と、前記端末本体に設けられる機能モジュールと、上記いずれかに記載のＬＣＤ表示モジュールと、を含むモバイル端末を提供し、
前記ＬＣＤ表示モジュールは、前記端末本体に配設され、前記機能モジュールは、前記ＬＣＤ表示モジュールの陥凹部内に配設され、前記ＬＣＤの表示モジュールのフレキシブル回路基板が折り曲げられて前記端末本体の制御主基板に電気的に接続される。
【００１６】
好ましくは、前記機能モジュールは、カメラと、センサと、感光素子と、イヤピースとのうち一つ又は複数を含む。
【発明の効果】
【００１７】
本開示の実施例により提供される技術案は、以下の有益な効果を含むことができる。本開示は、ＬＣＤ表示モジュール及びそれを有するモバイル端末を設計し、ＬＣＤ表示モジュールにおける回路の変更により、フレキシブル回路基板がＬＣＤ表示モジュールの頂端に電気的に接続され、当該ＬＣＤ表示モジュールの頂端には、陥凹部が設けられ、及びフレキシブル回路基板には、開口が対応付けて設けられ、モバイル端末の機能モジュールを収容して、表示画面の画面占有率の増加を満たすことができる。
【００１８】
なお、以上の一般的な説明及び以下の詳細な説明は、単なる例示的かつ解釈的なものであり、本開示を限定するものではない。
【図面の簡単な説明】
【００１９】
【図１】本開示の例示的な一実施例により示されるＬＣＤ表示モジュールの構造概略図である。
【図２】本開示の例示的な一実施例により示されるＬＣＤ表示モジュールにおけるフレキシブル回路基板が表示画面に対して展開される状態概略図である。
【図３】本開示の例示的な一実施例により示されるＬＣＤ表示モジュールにおけるフレキシブル回路基板が表示画面の背面に折り曲げられる状態概略図である。
【図４】本開示の例示的な一実施例により示されるＬＣＤ表示モジュールにおけるバックライトモジュールの構造概略図である。
【図５】本開示の例示的な一実施例により示されるモバイル端末の構造概略図である。
【発明を実施するための形態】
【００２０】
以下、図面に示される具体的な実施形態に組み合わせて本開示について詳しく説明するが、これらの実施形態は、本開示を限定するものではなく、当業者がこれら実施形態によりなされた構造、方法又は機能的上変換は、いずれも本開示の保護範囲内に含まれる。
【００２１】
本開示で使用される用語は、単に特定の実施例を説明することを目的とし、本開示を制限するものではない。文脈が明確に他の意味を示さない限り、本開示及び添付の特許請求の範囲に使用される単数形の「一種」、「前記」及び「当該」は、複数の形態も含むことを意味する。なお、本文で使用される用語“及び/又は”とは、一つ又は複数の関連の列挙項目のいずれか又はあらゆる可能な組み合わせを指す。
【００２２】
以下、図面を参照して本開示の一部の実施形態について詳しく説明し、矛盾しない限り、下記実施例及び実施例における特徴は、互いに組み合わせることができる。
【００２３】
図１及び図２に示すように、本開示の実施例のＬＣＤ（Ｌｉｑｕｉｄ Ｃｒｙｓｔａｌ Ｄｉｓｐｌａｙ、液晶表示画面）表示モジュール１０は、表示画面１と、表示画面１の頂端から引き出されるフレキシブル回路基板（Ｆｌｅｘｉｂｌｅ Ｐｒｉｎｔｅｄ Ｃｉｒｃｕｉｔ、ＦＰＣ）１２と、を含む。本実施例において、ＬＣＤ表示モジュール１０における集積回路は、表示画面１の頂端に配置され、フレキシブル回路基板１２は、集積回路に電気的に接続され、表示画面１の頂端から引き出される。
【００２４】
図１、図２及び図５に示すように、表示画面１の頂端には、モバイル端末１００が収容される機能モジュール３０の陥凹部１３が設けられ、フレキシブル回路基板１２の陥凹部１３に対応する位置には、開口１２１が設けられ、このように、ＬＣＤ表示モジュール１０が、携帯電話における機能モジュール３０が収容される収容スペースを有するようになるとともに、ＬＣＤ表示モジュール１０において、表示画面１の表示領域を占用する必要のある各ブロックが統一されて携帯電話の頂端に配置され、携帯電話の下端の画面占有率をできるだけ最大にして、全体的にＬＣＤ表示モジュール１０の画面占有率をできるだけ増加する。当該機能モジュール３０は、カメラ、センサ（例えば、赤外線センサ、光線センサ、距離センサなどの複数タイプのセンサのうち一つ又は複数である）、感光素子及びイヤピースのうち一つ又は複数を含むことができる。
【００２５】
本開示におけるモバイル端末１００は、携帯電話、タブレットＰＣ、ポケットコンピュータ、パーソナルデジタルアシスタント（Ｐｅｒｓｏｎａｌ Ｄｉｇｉｔａｌ Ａｓｓｉｓｔａｎｔ、ＰＤＡと略される）などの電子機器であってもよい。本開示において、モバイル端末１００は、携帯電話を例として具体的に説明する。なお、当該表示画面１の頂端は、すなわち、ユーザの使用習慣で携帯電話を把持する場合の携帯電話の上端部であり、表示画面１の底端は、すなわち、ユーザの使用習慣で携帯電話を把持する場合の携帯電話の下端部である。
【００２６】
図１〜図３及び図５に示すように、本開示の陥凹部１３は、表示画面１の頂端の任意の位置に設定されてもよく、具体的には、ユーザの満足な使用体験に基づいて配置する。選択可能な一実施例において、当該陥凹部１３は、表示画面１の中間位置に位置し、当該中間位置は、表示画面１の縦方向の中心線を基準線とする。他の選択可能な一実施例において、当該陥凹部１３は、表示画面１の左側又は右側に位置する。
【００２７】
本開示の実施例において、当該陥凹部１３は、円弧状、逆台形状、U字状、またはW字状などの形状であってもよい。なお、上記に例示される陥凹部１３のこれらの形状は、前記形状の絶対的に標準するものではなく、当該陥凹部１３は、全体的に上記説明した形状でも、いずれも本開示が保護しようとする範囲内に属する。当然のことながら、当該陥凹部１３は、任意の不規則な形状又は複数の不連続な収容スペースであってもよい。
【００２８】
本開示において、当該ＬＣＤ表示モジュール１０がモバイル端末１００の端末本体２０に配設される場合、当該フレキシブル回路基板１２を折り曲げることにより、端末本体２０における制御主基板（図示せず）に電気的に接続される。ＬＣＤ表示モジュール１０が端末本体２０に配設された後、当該フレキシブル回路基板１２は、ＬＣＤ表示モジュール１０と端末本体２０との間に位置する。フレキシブル回路基板１２が折り曲げられてモバイル端末１００の制御主基板に電気的に接続される場合、フレキシブル回路基板１２の開口１２１のエッジは、陥凹部１３のエッジを超えて突出しなく、すなわち、当該フレキシブル回路基板１２は、携帯電話における機能モジュール３０を適応的に回避する。図３に示すように、好ましくは、フレキシブル回路基板１２が折り曲げられてモバイル端末１００の制御主基板に電気的に接続される場合、開口１２１のエッジと陥凹部１３のエッジと重なり、このように、フレキシブル回路基板１２が携帯電話の機能モジュール３０への回避を満たすと同時に、回路配置を行うできるだけ大きいスペースを有し、回路配置の困難を減少する。
【００２９】
図４、図１及び図５に示すように、当該表示画面１は、バックライトモジュール１１と、表示パネル（図示せず）と、タッチパネル（図示せず）と、を含み、フレキシブル回路基板１２は、表示パネルにおける集積回路に電気的に接続される。バックライトモジュール１１の頂端、表示パネルの頂端及びタッチパネルの頂端には、いずれも陥凹構造１３１が設けられ、当該陥凹構造は、陥凹部１３の一部を構成する。すなわち、バックライトモジュール１１の頂端の陥凹構造１３１、表示パネルの頂端の陥凹構造及びタッチパネルの頂端の陥凹構造は、互いに対応して設定され、本開示の陥凹部１３を構成する。
【００３０】
当該バックライトモジュール１１は、ＬＥＤ（Ｌｉｇｈｔ Ｅｍｉｔｔｉｎｇ Ｄｉｏｄｅ、発光ダイオード）ライトバーアレイ１１１を含み、当該ＬＥＤライトバーアレイ１１１は、バックライトモジュール１１の頂端エッジに位置し、かつ、陥凹部１３のエッジを通過する。本実施例において、当該ＬＥＤライトバーアレイ１１１は、バックライトモジュール１１の頂端全体に均一的に配置され、このように、ＬＣＤ表示モジュール１０の全体の表示輝度が均衡になる。陥凹部１３に位置するＬＥＤを配置する場合、当該区間のＬＥＤライトバーアレイ１１１が陥凹部１３のエッジに設けられる。
【００３１】
さらに、当該バックライトモジュール１１は、ＬＥＤライトバーアレイ１１１に適合する導光板（図示せず）をさらに含み、当該導光板は、ＬＥＤライトバーアレイ１１１によって放射された光を表示画面１の頂端から表示画面１の底端に導き、導光板を最適化することにより、最終的に均衡的な表示効果を実現する。当然のことながら、本開示のバックライトモジュール１１は、発射シート、反射テープ、フレーム、拡散シート、下輝度向上シート、上輝度向上シート、輝度向上テープなどをさらに含む。表示パネルは、下偏光板、液晶ユニット、上偏光板などをさらに含んでもよい。タッチパネルは、タッチスクリーン、光学テープなどを含む。
【００３２】
当然のことながら、本開示の実施例において、当該陥凹部が表示画面の頂端に設けられるとは限らず、当該陥凹部は、表示画面の底端に設定されてもよく、それに応じて、ＬＣＤモジュールの集積回路及びフレキシブル回路基板も、表示画面の底端に設けられる。当該ＬＣＤモジュールにおいて、陥凹部、フレキシブル回路基板などの実施形態は、いずれも上記陥凹部が表示画面の頂端に設けられる実施形態と同じであり、ここでは、詳しく説明しない。
【００３３】
本開示は、ＬＣＤ表示モジュールにおける回路を変更することにより、フレキシブル回路基板をＬＣＤ表示モジュールの頂端に電気的に接続され、当該ＬＣＤ表示モジュールの頂端には、陥凹部が設けられ、及びフレキシブル回路基板には、開口が対応付けて設けられ、モバイル端末の機能モジュールを収容し、当該実施例において、表示画面の陥凹部のほか、当該表示画面の他の位置は、全部表示領域であり、このように、表示画面の画面占有率をできるだけ増加するニーズを満たすことができる。
【００３４】
図５に示すように、本開示の実施例の他の側面によれば、モバイル端末１００をさらに提供する。当該モバイル端末１００は、端末本体２０と、端末本体２０に設けられる機能モジュール３０と、ＬＣＤ表示モジュール１０と、を含む。当該ＬＣＤ表示モジュール１０の具体的な構造特徴は、上記各実施例に示すとおりであり、ここでは、詳しく説明しない。本開示におけるモバイル端末１００は、携帯電話、タブレットＰＣ、ポケットコンピュータ、パーソナルデジタルアシスタントなどの電子機器であってもよく、本開示において、携帯電話を例としてモバイル端末１００を具体的に説明する。
【００３５】
当該端末本体２０は、端末ケース（図示せず）と、端末ケース内に配設される制御主基板（図示せず）と、端末ケース内に配設される電池（図示せず）と、を含み、当該電池は、制御主基板に電気的に接続され、制御主基板に給電する。本開示のＬＣＤ表示モジュール１０は、端末本体２０に配設され、機能モジュール３０は、ＬＣＤ表示モジュール１０の陥凹部１３内に配設され、ＬＣＤ表示モジュール１０のフレキシブル回路基板が折り曲げられて端末本体２０の制御主基板に電気的に接続され、すなわち、当該フレキシブル回路基板は、ＬＣＤ表示モジュール１０の表示画面に対して折り曲げられ、ＬＣＤモジュール１０が端末本体２０内に配設された後、フレキシブル回路基板は、表示画面と端末本体２０との間に位置する。
【００３６】
本開示の機能モジュール３０は、カメラ、センサ（例えば、赤外線センサ、光線センサ、距離センサなどの複数タイプのセンサのうち一つ又は複数である）、感光素子及びイヤピースのうち一つ又は複数を含むことができる。
【００３７】
本開示は、ＬＣＤ表示モジュール及びそれを有するモバイル端末を設計し、ＬＣＤ表示モジュールにおける回路を変更することにより、フレキシブル回路基板をＬＣＤ表示モジュールの頂端に電気的に接続され、当該ＬＣＤ表示モジュールの頂端には、陥凹部が設けられ、またフレキシブル回路基板には、開口が対応付けて設けられ、モバイル端末の機能モジュールを収容し、当該実施例において、表示画面の陥凹部のほか、当該表示画面の他の位置は、全部表示領域であり、このように、表示画面の画面占有率をできるだけ増加するニーズを満たすことができる。
【００３８】
当業者は、明細書及びここに開示された開示の実施を考慮すると、本開示の他の実施案を容易に想到することができる。本出願は、本開示の一般的原理に従う本開示のあらゆる変形、用途、又は適応的な変更を含み、しかも、本開示によって開示されていないこの技術分野における周知知識又は慣用技術手段を含むことを主旨とする。明細書及び実施例は、単に例示するものであり、本開示の本当の範囲及び精神は、以下の特許請求の範囲によって示される。
【００３９】
なお、本開示は、上記説明に記載され、図面に示されている厳密な構成に限定されず、その範囲から逸脱しない限り、様々な修正及び変更を行うことができる。本開示の範囲は、添付の特許請求の範囲のみによって限定される。
【図１】
2021509961.tif 000003
【図２】
2021509961.tif 000004
【図３】
2021509961.tif 000005
【図４】
2021509961.tif 000006
【図５】
2021509961.tif 000007
【国際調査報告】
2021509961.tif 000008
2021509961.tif 000009
2021509961.tif 000010
2021509961.tif 000011
2021509961.tif 000012
2021509961.tif 000013